(57)【要約】【課題】  圧着はがきの内面に電子透かし画像やカラー二次元コードを印刷した場合であっても、圧着はがきを剥離した際に、電子透かし画像やカラー二次元コードの転写を抑えることが可能な圧着はがき用紙、圧着はがき、及び圧着はがきの製造方法を提供する。【解決手段】圧着はがき用紙は、第１紙片１ａと第２紙片１ｂが折り線４を介して連接されてなり、第１紙片１ａと第２紙片１ｂの表面に感圧糊が塗布されており、第１紙片１ａの第２紙片１ｂと対向する側の面に、情報記録画像が印刷された情報記録画像印刷層２が形成され、第２紙片１ｂにおいて、折り線４により２つの紙片が折り畳まれた場合に、情報記録画像印刷層２が接する位置に透明インキが塗布された透明層３が形成される。【選択図】  図１
2014040057.tif 000002
【特許請求の範囲】
【請求項１】
少なくとも第１紙片と第２紙片の２つの紙片が折り線を介して連接されてなり、
前記折り線を介して折り畳まれた場合に互いに対向する面である第１紙片と第２紙片のそれぞれの対向面の少なくとも一方に、感圧糊が塗布されており、
前記第１紙片、第２紙片のいずれか一方の対向面に、情報を記録した画像である情報記録画像が印刷された情報記録画像印刷層が形成されており、
前記情報記録画像印刷層が形成された紙片と異なる紙片において、前記折り線により２つの紙片が折り畳まれた場合に、前記情報記録画像印刷層が接する位置に透明インキまたは剥離ニスが塗布された透明層が形成されてなることを特徴とする圧着はがき用紙。
【請求項２】
前記情報記録画像印刷層に重ねて、透明インキまたは剥離ニスが塗布された第２透明層が形成されてなることを特徴とする請求項１に記載の圧着はがき用紙。
【請求項３】
前記情報記録画像は、情報を記録した二次元コードであることを特徴とする請求項１または請求項２に記載の圧着はがき用紙。
【請求項４】
前記情報記録画像は、情報を画像に埋め込んで記録した電子透かし画像であることを特徴とする請求項１または請求項２に記載の圧着はがき用紙。
【請求項５】
請求項１から請求項４のいずれか一項に記載の圧着はがき用紙の前記折り線により、前記第１紙片と前記第２紙片を前記対向面側に折り畳むことにより、前記情報記録画像印刷層を隠蔽するとともに、前記第１紙片と前記第２紙片を圧着して形成された圧着はがき。
【請求項６】
少なくとも第１紙片と第２紙片の２つの紙片が折り線を介して連接され、前記折り線を介して折り畳まれた場合に互いに対向する面である第１紙片と第２紙片のそれぞれの対向面の少なくとも一方に、感圧糊が塗布された基材に対して、
前記用紙の前記第１紙片、第２紙片のいずれか一方の対向面に、情報記録画像が印刷された情報記録画像印刷層を形成する画像印刷層形成工程と、
前記情報記録画像印刷層が形成された紙片と異なる紙片において、前記折り線により２つの紙片が折り畳まれた場合に、前記情報記録画像印刷層が接する位置に透明インキまたは剥離ニスが塗布された透明層を形成する透明層形成工程と、
前記第１紙片および前記第２紙片を前記折り線により前記対向面側に折り畳み、前記第１紙片および前記第２紙片の互いの対向面を圧着する圧着工程と、
を有することを特徴とする圧着はがきの製造方法。
【請求項７】
前記情報記録画像印刷層に重ねて、透明インキまたは剥離ニスが塗布された第２透明層を形成する第２透明層形成工程を、さらに有することを特徴とする請求項６に記載の圧着はがきの製造方法。
【発明の詳細な説明】
【技術分野】
【０００１】
本発明は、感圧糊が内面に塗布され、剥離後再圧着不能に圧着された圧着はがきに関し、特に、電子透かし画像やフルカラー二次元コード等、撮影して画像処理することにより、情報を抽出するための画像を印刷した圧着はがきに関する。
【背景技術】
【０００２】
近年、電子透かし画像やカラー二次元コードを撮影し、情報処理装置により撮影画像から情報を取得して、その情報に基づいて何らかのサービスを提供したり、受けたりすることが行われている。例えば、情報処理装置としてＣＰＵを備えた携帯電話機を利用し、その携帯電話機のカメラにより電子透かし画像やカラー二次元コードを撮影して、情報を取得した後、その情報を用いてネットワークにアクセスすることにより、ソフトウェアをダウンロードしたり、ネットワーク上の所定のサイトに誘導したりすることが行われている。
【０００３】
また、上述のような、電子透かし画像やカラー二次元コードは、印刷物に印刷されて郵送等により利用者に送付され、利用者がその電子透かし画像やカラー二次元コードを撮影して利用することにも用いられている。このような用途に利用する場合、電子透かし画像やカラー二次元コードは、印刷物に印刷されて封筒に封入して送付されたり、圧着用紙（特許文献１参照）を折り畳むことにより作成される圧着はがきの内面に印刷されて送付されたりすることになる。
【先行技術文献】
【特許文献】
【０００４】
【特許文献１】特開２０１２−２５０７５号公報
【発明の概要】
【発明が解決しようとする課題】
【０００５】
しかしながら、封筒に封入した場合には、大きな問題にならないが、電子透かし画像やカラー二次元コードを圧着はがきの内面側に印刷した場合、圧着はがきを剥がした際に、電子透かし画像やカラー二次元コードが印刷面と対向する面に転写してしまう。このため、電子透かし画像やカラー二次元コードの画像が欠けたり、薄まったりして、記録された情報を抽出することができなくなるという問題がある。
【０００６】
そこで、本発明は、圧着はがきの内面に電子透かし画像やカラー二次元コードを印刷した場合であっても、圧着はがきを剥離した際に、電子透かし画像やカラー二次元コードの転写を抑えることが可能な圧着はがき用紙、圧着はがき、及び圧着はがきの製造方法を提供することを課題とする。
【課題を解決するための手段】
【０００７】
本発明に係る圧着はがき用紙は、少なくとも第１紙片と第２紙片の２つの紙片が折り線を介して連接されてなり、前記折り線を介して折り畳まれた場合に互いに対向する面である第１紙片と第２紙片のそれぞれの対向面の少なくとも一方に、感圧糊が塗布されており、前記第１紙片、第２紙片のいずれか一方の対向面に、情報を記録した画像である情報記録画像が印刷された情報記録画像印刷層が形成されており、前記情報記録画像印刷層が形成された紙片と異なる紙片において、前記折り線により２つの紙片が折り畳まれた場合に、前記情報記録画像印刷層が接する位置に透明インキまたは剥離ニスが塗布された透明層が形成されてなることを特徴とする。
【０００８】
本発明の圧着はがき用紙によれば、折り線を介した２つの紙片のうち、いずれか一方の紙片に情報記録画像印刷層が形成され、他方の紙片において、折り線から折り畳まれた場合に、情報記録画像印刷層が接する位置に透明インキまたは剥離ニスが塗布された透明層が形成されているので、この圧着はがき用紙を折り線から折り畳んで圧着することにより圧着はがきを形成すれば、圧着はがきを剥離した際に、圧着はがきの内面に印刷された情報記録画像印刷層の他方の紙片への転写を抑えることが可能となる。
【０００９】
また、本発明に係る圧着はがき用紙は、前記情報記録画像印刷層に重ねて、透明インキまたは剥離ニスが塗布された第２透明層が形成されてなることを特徴とする。
【００１０】
本発明の圧着はがき用紙によれば、折り畳んだ場合に、情報記録画像印刷層が形成された紙片と対向する紙片に透明層が形成されるのに加えて、情報記録画像印刷層に重ねて第２透明層が形成されているので、圧着はがきの内面に印刷された情報記録画像印刷層の他方の紙片への転写をより一層抑えることが可能となる。
【００１１】
本発明に係る圧着はがきは、前記圧着はがき用紙の前記折り線により前記第１紙片と前記第２紙片を前記対向面側に折り畳むことにより、前記情報記録画像印刷層を隠蔽するとともに、前記第１紙片と前記第２紙片を圧着して形成されたことを特徴とする。
【００１２】
本発明の圧着はがきによれば、圧着はがきを剥離した際に、圧着はがきの一方の紙片に印刷された情報記録画像印刷層の他方の紙片への転写を抑えることが可能となる。
【００１３】
本発明に係る圧着はがきの製造方法は、少なくとも第１紙片と第２紙片の２つの紙片が折り線を介して連接され、前記折り線を介して折り畳まれた場合に互いに対向する面である第１紙片と第２紙片のそれぞれの対向面の少なくとも一方に、感圧糊が塗布された基材に対して、前記用紙の前記第１紙片、第２紙片のいずれか一方の対向面に、情報記録画像が印刷された情報記録画像印刷層を形成する画像印刷層形成工程と、前記情報記録画像印刷層が形成された紙片と異なる紙片において、前記折り線により２つの紙片が折り畳まれた場合に、前記情報記録画像印刷層が接する位置に透明インキまたは剥離ニスが塗布された透明層を形成する透明層形成工程と、前記第１紙片および前記第２紙片を前記折り線により前記対向面側に折り畳み、前記第１紙片および前記第２紙片の互いの対向面を圧着する圧着工程と、を有することを特徴とする。
【００１４】
本発明の圧着はがきの製造方法によれば、圧着はがきを剥離した際に、圧着はがきの一方の紙片に印刷された情報記録画像印刷層の他方の紙片への転写を抑えることができる圧着はがきを、効率的に製造することが可能となる。
【発明の効果】
【００１５】
本発明によれば、圧着はがきの内面に情報記録画像印刷層を印刷した場合であっても、圧着はがきを剥離した際に、情報記録画像印刷層の転写を抑えることが可能となる。
【図面の簡単な説明】
【００１６】
【図１】本発明第１の実施形態に係る圧着はがき用紙、圧着はがきの一例を示す図である。
【図２】本発明第１の実施形態に係る圧着はがき用紙の断面図である。
【図３】本発明第２の実施形態に係る圧着はがき用紙、圧着はがきの一例を示す図である。
【図４】本発明第２の実施形態に係る圧着はがき用紙の断面図である。
【発明を実施するための形態】
【００１７】
＜１．第１の実施形態＞
以下、本発明の好適な実施形態について、図面を参照して詳細に説明する。
図１は、本発明第１の実施形態に係る圧着はがき用紙、圧着はがきを示す平面図である。図１において、１は基材、１ａは第１紙片、１ｂは第２紙片、２は情報記録画像印刷層、３は透明層、４は折り線である。
【００１８】
また、図１のうち、図１（ａ）は圧着はがき用紙の平面図、図１（ｂ）は圧着はがき用紙を折り線４から折り曲げた状態を示す図、図１（ｃ）は圧着はがき用紙を完全に折り畳んで圧着はがきの状態とした図、図１（ｄ）は圧着はがきを開いて、折り畳まれていた紙片同士を剥離した状態を示す図である。
【００１９】
図１（ａ）に示すように、圧着はがき用紙は、基材１の中央に設けられた折り線４により、第１紙片１ａと第２紙片１ｂに区分されている。すなわち、第１紙片１ａと第２紙片１ｂは折り線４を介して連接されている。そして、第１紙片１ａには、情報記録画像印刷層２が形成されている。情報記録画像印刷層２は基材１に直接形成される。一方、第２紙片１ｂには、透明層３が形成されている。透明層３は、折り線４により第１紙片１ａと第２紙片１ｂが折り畳まれた場合に、情報記録画像印刷層２が第２紙片１ｂに接する位置に形成される。すなわち、透明層３は、折り線４を介して情報記録画像印刷層２と線対称となる位置に形成される。また、透明層３は、平面方向において、折り線４により第１紙片１ａと第２紙片１ｂが折り畳まれた場合に、情報記録画像印刷層２が第２紙片１ｂに接する位置全てを含む範囲で形成される。したがって、図１（ａ）の例では、情報記録画像印刷層２と透明層３の面積を同一にしているが、透明層３の面積を情報記録画像印刷層２の面積よりも広くなるように形成しても良い。
【００２０】
図２は、圧着はがき用紙の製造工程を示す断面図である。まず、図２（ａ）に示すように、感圧糊が塗布された基材１における第１紙片１ａの表面に、印刷により情報記録画像印刷層２を形成する。続いて、図２（ｂ）に示すように、基材１における第２紙片１ｂの表面に、印刷により透明層３を形成する。平面方向における透明層３の形成位置は、上述のように、折り線４を介して情報記録画像印刷層２と線対称となる位置である。また、図２（ｂ）では、情報記録画像印刷層２と透明層３の面積が同一の場合を示している。図２（ｂ）は、図１（ａ）のＡ−Ａ線断面図となる。
【００２１】
上述のようにして製造された圧着はがき用紙は、図１（ｂ）に示すように折り線４により折り畳まれ、第１紙片１ａと第２紙片１ｂの対向する面同士が圧着され、図１（ｃ）に示すような圧着はがきが得られる。圧着はがきは、記入された宛先に送付された後、受取人により開封される。具体的には、第１紙片１ａと第２紙片１ｂを、折り線４と対向する端部から剥離することにより開封する。剥離後は、図１（ｄ）に示すようになり、透明層３による保護効果のため、第１紙片１ａの情報記録画像印刷層２は、第２紙片１ｂにほとんど転移されない。
【００２２】
情報記録画像印刷層２を形成するインキの特性、透明インキの特性、それらの印刷状態等によっては、情報記録画像印刷層２が第２紙片１ｂ側に転移してしまうこともあり得る。しかし、情報記録画像印刷層２に記録された情報が抽出できなくなる程、情報記録画像印刷層２の画像が破壊されてしまう可能性は極めて低い。情報記録画像印刷層２に塗布されたインキが第２紙片１ｂ側に転移しにくくするため、透明層３に用いる透明インキには、シリコン等の剥離剤を添加することが望ましい。
【００２３】
＜２．情報記録画像印刷層の画像＞
情報記録画像印刷層の画像としては、情報を記録することができるものであれば、公知の様々なものを用いることが可能である。本実施形態では、電子透かし、二次元コードの２種類を採用している。「電子透かし」とは、画像に特定の情報を記録するための技術であり、印刷された画像を見ても記録された情報が知覚困難なように形成されたものである。「電子透かし」の具体的手法は、特に限定されず、公知の種々のものを利用することができる。また、「二次元コード」とは、水平と垂直の方向に情報をもつコードであり、一次元のバーコードよりも多くの情報をコード化できるものである。「二次元コード」としても、公知の種々のものを採用することができるが、最も普及しているＱＲコード（登録商標）を採用するのが望ましい。ＱＲコードとしては、モノクロのものを用いても良いし、カラーのものを用いることもできる。また、ＱＲコードにロゴなどのデザインを加えたものを用いても良い。
【００２４】
＜３．各層の素材＞
基材１としては、再接着再剥離不能な圧着糊が塗布された用紙を用いる。このような特徴を有する用紙であれば、公知の種々のものを採用することができる。例えば、特許文献１に記載の圧着用紙や、北越紀州製紙製「ｉｎｆｏＰメール」等を採用することができる。当然のことながら、圧着糊が塗布された面は、折り線４を谷折りし、重ね合わせられる側に用いられることになる。圧着糊は、第１紙片１ａと第２紙片１ｂの双方に塗布されているが、第１紙片１ａと第２紙片１ｂのどちらか一方に塗布されるようにしても良い。
【００２５】
情報記録画像印刷層２を印刷する場合、モノクロの場合は、単色のインキを用いて印刷し、カラーの場合は、適宜複数色のインキを用いて印刷する。
【００２６】
透明層３を構成する透明インキとしては、硬化することにより、圧着はがきの圧着および開封時に反対面に転写しないもの、もしくは転写が少ないものを用いる必要がある。透明インキとしては、塗布後、硬化するものであれば、種々のものを用いることができるが、例えば、紫外線硬化するＤＩＣグラフィック社製「ＵＶ ＢＦ ＳＧメジウム」を用いることが望ましい。
【００２７】
＜４．製造方法＞
次に、圧着はがきの製造方法について説明する。本実施形態に係る圧着はがきは、情報記録画像印刷部、透明インキ塗布部、折り加工部が１つのラインとして配置された製造装置により製造することができる。まず、基材１の第１紙片１ａに対して、情報記録画像印刷部により情報記録画像印刷層２を印刷する。これにより、図２（ａ）に示したように、情報記録画像印刷層２が基材１の第１紙片１ａ上に形成される。
【００２８】
続いて、基材１における第２紙片１ｂの表面に、透明インキ塗布部により透明インキを塗布し、透明層３を形成する。これにより、図１（ａ）、図２（ｂ）に示したように、透明層３が、折り線４により第１紙片１ａと第２紙片１ｂが折り畳まれた場合に、情報記録画像印刷層２が第２紙片１ｂに接する位置全てを含む範囲に形成される。情報記録画像印刷部や透明インキ塗布部はオフセット印刷機により実現することができる。
【００２９】
続いて、折り加工部が、折り線４から第１紙片１ａ及び第２紙片１ｂを折り曲げ、第１紙片１ａ及び第２紙片１ｂに圧力を加えることにより、第１紙片１ａ及び第２紙片１ｂの対向する面を圧着する。すなわち、図１（ｂ）に示すように折り曲げることにより、図１（ｃ）に示すような圧着はがきが得られる。
【００３０】
＜５．圧着はがきの利用＞
図１（ｃ）に示した圧着はがきは、受取人に送付される。受取人が圧着はがきを開封した場合、第１紙片１ａ上の情報記録画像印刷層２が第２紙片１ｂに転写されることはない。仮に一部が転写されたとしても、情報記録画像印刷層２の画像が大きく破損することはない。利用者は、開封後、例えば、カメラ付き携帯電話機で情報記録画像印刷層２を撮影し、撮影画像に対してカメラ付き携帯電話機に組み込まれたプログラムを実行し、電子透かし抽出処理、二次元コード認識処理等を行い、情報記録画像に記録された情報を抽出する。
【００３１】
＜６．第２の実施形態＞
次に、本発明第２の実施形態について説明する。
図３は、本発明第２の実施形態に係る圧着はがき用紙、圧着はがきを示す平面図である。図３において、図１と同一の部分については、同一符号を付して説明を省略する。図３において、５は第２透明層である。第２の実施形態は、第２透明層５を有する点が第１の実施形態と異なっている。
【００３２】
図３のうち、図３（ａ）は圧着はがき用紙の平面図、図３（ｂ）は圧着はがき用紙を折り線４から折り曲げた状態を示す図、図３（ｃ）は圧着はがき用紙を完全に折り畳んで圧着はがきの状態とした図、図３（ｄ）は圧着はがきを開いて、折り畳まれていた紙片同士を剥離した状態を示す図である。
【００３３】
図３（ａ）に示すように、第１紙片１ａには、情報記録画像印刷層２及び第２透明層５が形成されている。第２透明層５は、情報記録画像印刷層２の上側（図３において手前側）から透明インキを印刷することにより形成される。また、第２透明層５は、平面方向において、情報記録画像印刷層２と同一範囲か、または情報記録画像印刷層２を含むより広い範囲で形成される。図３の例では、情報記録画像印刷層２を含むより広い範囲で形成されている。したがって、上面から見ると、図３（ａ）に示すように、情報記録画像印刷層２は第２透明層５を介して視認でき、第２透明層５は、情報記録画像印刷層２の周囲にも広がることになる。
【００３４】
図４は、第２の実施形態に係る圧着はがき用紙の製造工程を示す断面図である。まず、図４（ａ）に示すように、感圧糊が塗布された基材１における第１紙片１ａの表面に、印刷により情報記録画像印刷層２を形成する。続いて、図４（ｂ）に示すように、基材１における第２紙片１ｂの表面に、印刷により透明層３を形成する。第２の実施形態では、透明層３の形成と同時に、情報記録画像印刷層２の表面に、印刷により第２透明層５を形成する。平面方向における第２透明層５の形成範囲は、情報記録画像印刷層２の全てを含み、情報記録画像印刷層２と同一かより広い。情報記録画像印刷層２より広い場合は、図４（ｂ）に示すように、情報記録画像印刷層２が存在しない領域では、第１紙片１ａの表面に直接第２透明層５が形成される。図４（ｂ）は、図３（ａ）のＢ−Ｂ線断面図となる。
【００３５】
上述のようにして製造された圧着はがき用紙は、図３（ｂ）に示すように折り線４により折り畳まれ、第１紙片１ａと第２紙片１ｂの対向する面同士が圧着され、図３（ｃ）に示すような圧着はがきが得られる。圧着はがきは、記入された宛先に送付された後、受取人により開封される。具体的には、第１紙片１ａと第２紙片１ｂを、折り線４と対向する端部から剥離することにより開封する。剥離後は、図３（ｄ）に示すようになり、透明層３、第２透明層５による保護効果のため、第１紙片１ａの情報記録画像印刷層２は、第２紙片１ｂにほとんど転移されない。
【００３６】
第２の実施形態では、透明層３に加えて、さらに第２透明層５を有するため、第１の実施形態に比べて、情報記録画像印刷層２を形成するインキの第２紙片１ｂ側への転移を一層しにくくすることができる。情報記録画像印刷層２に塗布されたインキが第２紙片１ｂ側に転移しにくくするため、透明層３と同様、第２透明層５に用いる透明インキにも、シリコン等の剥離剤を添加することが望ましい。
【００３７】
以上、本発明の好適な実施形態について説明したが、本発明は上記実施形態に限定されず、種々の変形が可能である。例えば、上記実施形態では、圧着はがきが第１紙片１ａと第２紙片１ｂの２枚の紙片により構成されているが、３枚以上の紙片で構成される圧着はがきであっても良い。
【００３８】
また、上記実施形態では、圧着はがきに、情報記録画像印刷層２を１箇所だけ形成した場合について説明したが、互いに第１紙片１ａ上において重ならないように複数箇所に情報記録画像印刷層２を形成するようにしても良い。この場合、それぞれの情報記録画像印刷層２に対向する第２紙片１ｂ上の位置に、それぞれ透明層３、第２透明層５を形成しても良いし、複数の情報記録画像印刷層２に対向する第２紙片１ｂ上の位置全体を覆うように１つの透明層３、第２透明層５を形成しても良い。
【００３９】
また、上記実施形態では、透明インキを塗布することにより透明層３、第２透明層５を形成したが、透明の剥離ニスを塗布することにより透明層３、第２透明層５を形成するようにしても良い。透明の剥離ニスとしては、公知の種々のものを用いることができるが、シリコンが５％添加されているＤＩＣグラフィック社製「ＵＶ 無色蛍光  １パート用剥離ニス」を用いることが望ましい。また、透明層３、第２透明層５に同一の透明インキや剥離ニスを塗布しても良いし、別の透明インキや剥離ニスを塗布しても良い。
【産業上の利用可能性】
【００４０】
本発明の圧着はがき用紙、圧着はがきは、内側に印刷された情報を秘匿扱いとすることが可能で、簡易な配送物として利用できる。
【符号の説明】
【００４１】
１・・・基材
１ａ・・・第１紙片
１ｂ・・・第２紙片
２・・・情報記録画像印刷層
３・・・透明層
４・・・折り線
５・・・第２透明層
【図１】
2014040057.tif 000003
【図２】
2014040057.tif 000004
【図３】
2014040057.tif 000005
【図４】
2014040057.tif 000006